(57)【要約】【課題】  少ないキースペースで、焦点合わせと撮像動作を実施する入力部を搭載する。【解決手段】  筐体１２０の背面に背面電極５９を設けると共に、テンキーを配置した面に、表面が導電性のシャッターボタンを設け、制御回路が、前記背面電極５９とシャッターボタンの表面がグランドに落ちたと判定すると、焦点合わせの動作を行い、続いてシャッターボタンが押下されたと判定すると、撮像動作を実行する。【選択図】      図２
2006333306.tif 000002
【特許請求の範囲】
【請求項１】
第１の電極と第２の電極を有し、前記第１の電極と第２の電極の両方に手が触れたと判定すると、所定の動作を実行する制御手段を有することを特徴とする電子機器。
【請求項２】
押下スイッチ機構を有する第１の電極と、第２の電極とを有し、前記第１の電極と第２の電極の両方に手が触れたと判定すると、第1の動作を実行し、続いて前記押下スイッチの押下があると第２の動作を実行する制御手段を有することを特徴とする電子機器。
【請求項３】
押下スイッチ機構を有する第１の電極と、第２の電極とを有し、前記第１の電極と第２の電極の両方に手が触れたと判定すると、焦点合わせの動作を実行し、続いて前記押下スイッチの押下があると撮像動作を実行するよう制御する制御手段を有することを特徴とする電子機器。
【請求項４】
押下スイッチ機構を有する第１の電極が配置された第1の面と、該第1の面と異なる面であり、第２の電極が配置された第２の面と、を有し、
前記第１の電極と第２の電極の両方に手が触れたと判定すると、第１の動作を実行し、続いて前記押下スイッチの押下があると第２の動作を実行するよう制御する制御手段を有することを特徴とする電子機器。
【請求項５】
押下スイッチ機構を有する第１の電極が配置された第1の面と、該第1の面と異なる面であり、第２の電極が配置された第２の面と、を有し、
前記第１の電極と第２の電極の両方に手が触れたと判定すると、焦点合わせの動作を実行し、続いて前記押下スイッチの押下があると撮像動作を実行するよう制御する制御手段を有することを特徴とする電子機器。
【発明の詳細な説明】
【技術分野】
【０００１】
本発明は、携帯電話等の電子機器に関する。
【背景技術】
【０００２】
従来の携帯電話装置といった電子機器のキー構造は、例えば図７に示すような構成であった。
【０００３】
図７は、折畳み式の携帯電話装置のキー構造（テンキー、通話キー、切キー等）を有する筐体部分の分解斜視図であり、上ケース１と下ケース２との間に、プリント基板３、メタルドーム４、キーシート５が順に配置されている。
【０００４】
ユーザがキーを押下することにより、キーシート５下方に配置されたメタルドーム４がプリント基板３へ圧接され、プリント基板３上に露出した２つの信号ラインがメタルドーム４を介して電気的に接続し、この接続を制御部が検出することにより、制御部は、キーが押下されたと判定する（下記特許文献１参照）。
【特許文献１】特開２００２−３４１９９５号公報
【発明の開示】
【発明が解決しようとする課題】
【０００５】
ところで、近年カメラ機能を搭載した携帯電話が爆発的に普及し、殆どの機種でカメラが搭載されるようになった。又、携帯電話に搭載されるＣＣＤ（Ｃｈａｒｇｅ  Ｃｏｕｐｌｅｄ  Ｄｅｖｉｃｅ）といった撮像素子の画素数も１００万画素や３００万画素といった高画素数のものが搭載されるようになり、携帯電話装置においても、高画質な画像を撮影できることが要求されている。例えば、機能的な面において、ユーザが１回シャッターを押下するだけで即座に撮像動作に入るのではなく、１回軽くシャッターを押下することにより焦点をあわせ、続いてユーザが強くシャッターを押下することにより撮像動作を行うといった、通常のデジタルカメラで必要な技術が、携帯電話にも要求されつつある。
【０００６】
しかしながら、このような機能を搭載するにあたり、上述した従来技術では、ただ単に、制御部が、メタルドームとプリント基板上の信号ラインとが電気的に接続しているか否かを検出するだけであり、キーが軽く押下され続いて強く押下されたかといった判定は構造上できない。
【０００７】
かといって、このような焦点合わせ用のキーとシャッター用のキーの２つを設けるとなると、携帯電話ではキーの配置スペースが限られている為、実現するのは難しい。
【０００８】
本発明はこのような課題に鑑みなされたものであり、携帯電話等の限られた設置スペースで、キーを追加することなく、焦点合わせの動作と撮像動作を実行することが可能な電子機器を提供するものである。
【課題を解決するための手段】
【０００９】
請求項１に記載の発明は、第１の電極と第２の電極を有し、前記第１の電極と第２の電極の両方に手が触れたと判定すると、所定の動作を実行する制御手段を有することを特徴とする。
請求項２に記載の発明は、押下スイッチ機構を有する第１の電極と、第２の電極とを有し、前記第１の電極と第２の電極の両方に手が触れたと判定すると、第1の動作を実行し、続いて前記押下スイッチの押下があると第２の動作を実行する制御手段を有することを特徴とする。
請求項３に記載の発明は、押下スイッチ機構を有する第１の電極と、第２の電極とを有し、前記第１の電極と第２の電極の両方に手が触れたと判定すると、焦点合わせの動作を実行し、続いて前記押下スイッチの押下があると撮像動作を実行するよう制御する制御手段を有することを特徴とする。
請求項４に記載の発明は、押下スイッチ機構を有する第１の電極が配置された第1の面と、該第1の面と異なる面であり、第２の電極が配置された第２の面と、を有し、前記第１の電極と第２の電極の両方に手が触れたと判定すると、第１の動作を実行し、続いて前記押下スイッチの押下があると第２の動作を実行するよう制御する制御手段を有することを特徴とする。
請求項５に記載の発明は、押下スイッチ機構を有する第１の電極が配置された第1の面と、該第1の面と異なる面であり、第２の電極が配置された第２の面と、を有し、前記第１の電極と第２の電極の両方に手が触れたと判定すると、焦点合わせの動作を実行し、続いて前記押下スイッチの押下があると撮像動作を実行するよう制御する制御手段を有することを特徴とする。
【発明の効果】
【００１０】
本発明によれば、別途キーを設けることなく電極を設けるだけで、焦点合わせの動作と撮像動作を行うことが可能である。特に携帯電話装置等のキーの配置スペースが限られた電子機器に効果を発揮するものである。
【００１１】
請求項１記載の電子機器では、２つの電極を配置し、２つの電極がユーザの手に触れることにより所定の動作を実行するものである為、キーという配置スペースを広くとる構成を配置する必要がなく、又、２つの電極に手が触れて初めて所定の動作を行なう為、誤動作が行われることを回避することが可能である。
【００１２】
請求項２記載の電子機器では、２つの電極のうち１つの電極に押下スイッチ機構を配置したことにより、押下スイッチと電極を同じ配置スペースに配置することが可能である。
【００１３】
請求項３記載の電子機器では、１つ電極を配置するスペースを別途設けるだけで、焦点合わせの動作と撮像動作を実施することが可能である。
【００１４】
請求項４記載の電子機器では、異なる面に夫々電極を設けたことにより、ユーザが電子機器を持った際に、或いはキー操作を行う際に、簡単に２つの電極を同時に触れることが可能である。
【００１５】
請求項５記載の電子機器では、異なる面に夫々電極を設けたことにより、ユーザが電子機器を持った際に、或いはキー操作を行う際に、簡単に２つの電極を同時に触れることが可能である。このため、焦点合わせの指示操作と撮像動作を容易にする。
【発明を実施するための最良の形態】
【００１６】
次に、本発明の一実施形態に係る電子機器（携帯電話装置）について、図面を参照して説明する。
【００１７】
図１及び図２は、本発明を適用してなる実施例装置（折畳式携帯電話装置）の斜視図である。
【００１８】
図１において、携帯電話装置１０は、ディスプレイ４２を有する第１の筐体１１０と、入力部４４と着信ランプ５７を有する第２の筐体１２０とが、ヒンジ部３００を介して接続されており、図中矢印方向に開閉可能である。
【００１９】
又、第２の筐体１２０には、側面キー５８が搭載されており、前記側面キー５８は、例えばマナーモード（着信時に着信音を出力せずにバイブレータで着信を報知するモード）のオン、オフを切り替える為のキーである。尚、前記側面キー５８の機能はこのマナーモードに限定されず、他の機能でもよく、又、側面キー５８は複数あっても良い。
【００２０】
更に、第２の筐体１２０には、シャッターボタン５６が搭載されている。このシャッターボタンは表面が導電性の材料で形成されている。
【００２１】
図２は、図１に示す携帯電話装置１０の背面から見た斜視図であり、第２筐体１２０にアンテナ２と着信ランプ５７が搭載されている。
【００２２】
又、第２筐体１２０の背面側には、背面電極５９が搭載されている。
【００２３】
ユーザが撮像を行う際に、図２に示す背面電極５９に触れながら、図１に示すシャッターボタン５６に触れると、携帯電話は焦点合わせの動作を行い、続いてユーザが、図２に示すシャッターボタン５６を押下すると撮像動作が実行される。
【００２４】
尚、焦点合わせの動作とは、画面の中央の画像にピントを合わせることである。
【００２５】
次に本実施例装置のブロック構成について説明する。図３は、本実施例装置のブロック図である。
【００２６】
図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００２７】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２８】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２９】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００３０】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００３１】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００３２】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
制御回路３６は、ＲＯＭ３８と接続されており、ＲＯＭ３８に格納されているシステムプログラムに基づき各部を制御する。
【００３３】
また、制御回路３６は、ＲＡＭ４０と接続されている。このＲＡＭ４０には電話帳データ等が格納されている。
【００３４】
また、制御回路３６には、液晶のディスプレイ４２が接続されている。このディスプレイ４２には、現在の時刻、電話番号、電子メールの内容、インターネットによりダウンロードされたサイト画像、押下されたキーの機能名の表示等の所定の情報が表示される。
【００３５】
また、制御回路３６には、入力部４４が接続されている。この入力部４４は、電話番号等の入力を行うテンキー４８と、通話の開始を操作する通話キー５０と、通話の終了を操作する切キー５２と、電子メール機能やインターネット機能などの各種機能の設定を行う機能キー５４と、を有している。
【００３６】
シャッターボタン５６は、焦点合わせと撮像動作を行う為のボタンである。
【００３７】
着信ランプ５７は、着信時に、着信を報知する為に点灯或いは点滅する。又、本実施例装置は先ほど説明した側面キー５８を有している。
【００３８】
背面電極５９は、焦点合わせの際に使用される。前記背面電極５９は導電性の材料で形成されており、制御回路３６から見て通常はオープンの状態であるが、ユーザが触れることにより電位がグランドに落ちる。制御回路３６は、前記背面電極５９の電位がグランドに落ちたことを検出することにより、背面電極５９がユーザに触れられたと判定する。
【００３９】
撮像部６０は、例えばＣＣＤ（Ｃｈａｒｇｅ  Ｃｏｕｐｌｅｄ  Ｄｅｖｉｃｅｓ）を備えており、携帯電話装置を用いて撮像を行う際に使用される。又、内部には光学レンズ（図示せず）も搭載しており、この光学レンズを制御することによりフォーカス（焦点）をあわせることも可能である。
【００４０】
図４は、シャッターボタン５６の断面図である。
シャッターボタン５６は、例えば樹脂で形成されたボタン本体５６２の上面に導電性の材料からなる電極５６１が配置されている。又、前記電極５６１は、図３に示す制御回路３６と接続されている。更に、前記ボタン本体５６２の裏面側には下方に突となる突部５６３が形成されている。
【００４１】
携帯電話装置の基板５６４上には３つの電極５６５が形成されており、又、前記電極５６５には、メタルドーム５６６が接続されている。
ユーザが電極５６１に触れることにより、電極５６１はグランドへと接地したことになり、これを制御回路３６が検出する。又、ユーザがボタン本体５６２を押下することにより、前記ボタン本体５６２の突部５６３がメタルドーム５６６を押下し、図４中の３つある電極５６５の内真ん中の電極５６５とメタルドーム５６６が接触する。このことを制御回路３６が検出することにより、制御回路３６はボタン本体５６２が押下されたと判定する。
【００４２】
図５は、背面電極５９の断面図である。背面電極５９は制御回路３６と接続されており、ユーザが背面電極５９に触れると、前記背面電極５９がグランドへと接地したことになり、前記制御回路３６がこれを検出することにより、制御回路３６は、ユーザが背面電極５９に触れたと判定する。
【００４３】
次に本実施例装置の動作について説明する。先ず、ユーザがカメラを用いて撮像を行う際に、図１に示すシャッターボタン５６と図２に示す背面電極５９に手が触れるようにかるく握る。この時、例えば図６に示すように、ユーザが軽く握ることにより、シャッターボタン５６と背面電極５９が手に触れるようにする。
【００４４】
図３に示す制御回路３６が、シャッターボタン５６と背面電極５９の両方の電位がグランドに落ちたと判定すると、撮像部６０を制御することにより、焦点合わせの動作を実行する。続いて、ユーザがシャッターボタン５６を押下すると、制御回路３６がこの押下を判定し、撮像部６０を制御することにより撮像動作を実行し、撮像が終了する。
【００４５】
以上説明したように、本実施例装置では、携帯電話装置等のキーの設置スペースが限られた電子機器において、撮像時の焦点合わせと撮像動作を実行可能とするものである。
【００４６】
尚、本実施例では、折畳式の携帯電話で実施したが、ストレートタイプの携帯電話、デジタルスチルカメラ等の電子機器で実施することも可能である。
【００４７】
又、本実施例では、シャッターボタン５６を筐体のキー配置面に、背面電極５９を筐体の背面側に設けたが、背面電極５９を筐体の側面（例えば、図１に示す側面キー５８の配置部分）に搭載しても良いし、シャッターボタン５６を筐体の側面（例えば、図１に示す側面キー５８の配置部分）に搭載しても良い。更に、シャッターボタン５６を筐体の背面に配置しても良いし、背面電極５９を入力部４４の配置面や、第１筐体１１０に配置しても良く、第１筐体１１０にシャッターボタン５６を配置し、第２筐体に背面電極５９を配置しても良い。
【００４８】
又、２つの電極を同時に触れなくとも、２つの電極を順に触れるようにしても良い。
【００４９】
更に、撮像が終了したら、シャッターボタンから指を離すことにより、次の撮像を行うようにリセットする、即ち、再度２つの電極に触れることにより焦点合わせの動作を行うようにしても良い。
【図面の簡単な説明】
【００５０】
【図１】本実施例装置の正面図である。
【図２】本実施例装置の裏面図である。
【図３】本実施例装置のブロック図である。
【図４】本実施例装置のシャッターボタン５６の断面図である。
【図５】背面電極５９の断面図である。
【図６】本実施例装置の１実施形態を示す図である。
【図７】従来の携帯電話装置の分解斜視図である。
【符号の説明】
【００５１】
３６  制御回路
５６  シャッターボタン
５９  背面電極
６０  撮像部
【図１】
2006333306.tif 000003
【図２】
2006333306.tif 000004
【図３】
2006333306.tif 000005
【図４】
2006333306.tif 000006
【図５】
2006333306.tif 000007
【図６】
2006333306.tif 000008
【図７】
2006333306.tif 000009